【事件の表示】
　上記当事者間の特許第４３３６６２２号発明「プリントおよびカットを行う方法ならびにプログラム」の特許無効審判事件について、次のとおり審決する。
【結　論】
　請求のとおり訂正を認める。
　本件審判の請求は、成り立たない。
　審判費用は、請求人の負担とする。
【理　由】
 第１　事案の概要 　
　    
　本件は、請求人が、被請求人が特許権者である特許第４３３６６２２号（以下「本件特許」という。）の請求項１から請求項５に係る発明についての特許を無効とすることを求める事案である。　
  
第２　手続の経緯の概要 　
　
　本件特許第４３３６６２２号に係る手続の経緯の概要は以下のとおりである。
 
　平成１６年　５月２６日　出願            
  
　平成２１年　７月　３日　設定登録（特許第４３３６６２２号） 
　平成２６年　５月３０日　本件無効審判請求、甲第１の１〜６号証提出、（無効２０１４−８０００８７号）
   
　平成２６年　９月２６日　審判答弁書、訂正請求書
 
　平成２６年１１月１４日　弁駁書（１）、（２）、甲第７〜９号証提出　　
　
　平成２６年１２月４日付け　審理事項通知書提出　
　平成２７年　１月　６日　口頭審理陳述要領書（請求人）、甲第１号証の３提出
　　　　　　　　　　　 
　平成２７年　１月　９日　口頭審理陳述要領書（被請求人）、乙第１〜４号証提出
 
　平成２７年　１月２３日　口頭審理
 
　平成２７年　２月　６日　上申書（被請求人）
 
　平成２７年　２月１０日　上申書（請求人）　
　
第３　訂正請求について
　　        
１．訂正の内容
                    
　被請求人が平成２６年９月２６日付けの訂正請求書により請求する訂正（以下「本件訂正」という。）は、本件特許の特許請求の範囲を、訂正請求書に添付した訂正特許請求の範囲及び訂正明細書のとおり一群の請求項ごとに訂正しようとするものであって、その請求の内容は以下のとおりである。
　
（１）　訂正事項１　
　特許請求の範囲の請求項１に「作成されたプリントデータおよびカットデータを前記プリントおよびカット装置へ送信するステップとを含む、」とあるのを、「作成されたプリントデータおよびカットデータを前記プリントおよびカット装置へ送信するステップと、前記プリントデータで用紙に印刷するステップと、前記用紙を引き出すステップと、前記カットデータに基づいて輪廓のカットを行わせるステップとを含む、」に訂正する（請求項１の記載を引用する請求項３も同様に訂正する）。
　            
（２）　訂正事項２　
　明細書の段落【０００７】に「作成されたプリントデータおよびカットデータを前記プリントおよびカット装置へ送信するステップとを含む」とあるのを、「作成されたプリントデータおよびカットデータを前記プリントおよびカット装置へ送信するステップと、前記プリントデータで用紙に印刷するステップと、前記用紙を引き出すステップと、前記カットデータに基づいて輪廓のカットを行わせるステップとを含む、」に訂正する。
　
（３）　訂正事項３　
　特許請求の範囲の請求項２に「請求項１に記載の方法。」とあるのを、「プリントおよびカット装置においてプリント及びカットを行う方法であって、グラフィックソフトウェアにおいて、画像の輪廓をカットするための特色名を入力させるステップと、前記特色名として所望の色を選択させるステップと、前記選択された所望の色を含む色で画像データおよび輪廓データを作成させるステップと、前記作成された画像データおよび輪廓データをＲＩＰが認識可能なデータに変換して送信するステップと、前記ＲＩＰにおいて、変換された画像データおよび輪廓データからプリントデータおよびカットデータを作成するステップと、作成されたプリントデータおよびカットデータを前記プリントおよびカット装置へ送信するステップとを含む、プリントおよびカットを行う方法。」に訂正する（請求項２の記載を引用する請求項３も同様に訂正する）。　
　
（４）　訂正事項４　
　訂正事項３の訂正を行った特許請求の範囲の請求項２に「前記ＲＩＰにおいて、変換された画像データおよび輪廓データからプリントデータおよびカットデータを作成するステップと、」とあるのを、「前記ＲＩＰにおいて、変換された画像データおよび輪廓データからプリントデータおよびカットデータを作成するステップと、ＲＩＰソフトウエアで乾燥時間を指定するステップと、」に訂正する（請求項２の記載を引用する請求項３も同様に訂正する）。　
　
（５）　訂正事項５　
　訂正事項３および４の訂正を行った特許請求の範囲の請求項２に「さらに前記プリントおよびカット装置において、前記プリントデータで印刷するステップと、前記印刷されたプリントデータが乾燥するまで待つステップと、乾燥後に前記カットデータに基づいて輪郭のカットを行なわせるステップとを含む、」とあるのを、「前記プリントデータで印刷するステップと、前記印刷されたプリントデータが乾燥するまで待つステップであって、前記ＲＩＰソフトウエアで指定された乾燥時間の経過を待つステップと、乾燥後に前記カットデータに基づいて輪郭のカットを行なわせるステップとを含む、」に訂正する（請求項２の記載を引用する請求項３も同様に訂正する）。　
     
（６）　訂正事項６　
　明細書の段落【０００９】に「好ましくは、方法は、プリントおよびカット装置において、プリントデータで印刷するステップと、印刷されたプリントデータが乾燥するまで待つステップと、乾燥後にカットデータに基づいて輪郭のカットを行なわせるステップとを含む。」とあるのを、「この発明にかかる、プリントおよびカット装置においてプリントおよびカットを行う他の方法は、プリントおよびカット装置においてプリントおよびカットを行う方法であって、グラフィックソフトウェアにおいて、画像の輪廓をカットするための特色名を入力させるステップと、前記特色名として所望の色を選択させるステップと、前記選択された所望の色を含む色で画像データおよび輪廓データを作成させるステップと、前記作成された画像データおよび輪廓データをＲＩＰが認識可能なデータに変換して送信するステップと、前記ＲＩＰにおいて、変換された画像データおよび輪廓データからプリントデータおよびカットデータを作成するステップと、ＲＩＰソフトウエアで乾燥時間を指定するステップと、作成されたプリントデータおよびカットデータを前記プリントおよびカット装置へ送信するステップと、前記プリントデータで印刷するステップと、前記印刷されたプリントデータが乾燥するまで待つステップと、乾燥後に前記カットデータに基づいて輪廓のカットを行わせるステップとを含む。」に訂正する。
　
（７）　訂正事項７
　特許請求の範囲の請求項４に「作成されたプリントデータおよびカットデータをプリントおよびカット装置へ送信するステップとを実行させる」とあるのを、「作成されたプリントデータおよびカットデータをプリントおよびカット装置へ送信するステップと、前記プリントデータで用紙に印刷するステップと、前記用紙を引き出すステップと、前記カットデータに基づいて輪廓のカットを行わせるステップとを実行させる」に訂正する。
　
（８）　訂正事項８
　特許請求の範囲の請求項４に「プログラム。。」とあるのを、「プログラム。」に訂正する。
　
（９）　訂正事項９　
　明細書の段落【００１２】に「作成されたプリントデータおよびカットデータをプリントおよびカット装置へ送信するステップとを実行させる。」とあるのを、「作成されたプリントデータおよびカットデータをプリントおよびカット装置へ送信するステップと、前記プリントデータで用紙に印刷するステップと、前記用紙を引き出すステップと、前記カットデータに基づいて輪廓のカットを行わせるステップとを実行させる。」に訂正する。
　
（１０）　訂正事項１０
　特許請求の範囲の請求項５に「請求項４に記載のプログラム。」とあるのを、「コンピュータにプリントおよびカットを行わせるプログラムであって、グラフィックソフトウェアにおいて、画像の輪廓をカットするための特色名を入力させるステップと、特色名として所望の色を選択させるステップと、選択された所望の色を含む色で画像データおよび輪廓データを作成させるステップと、作成された画像データおよび輪廓データをＲＩＰが認識可能なデータに変換して送信するステップと、ＲＩＰにおいて、変換された画像データおよび輪廓データからプリントデータおよびカットデータを作成するステップと、作成されたプリントデータおよびカットデータを前記プリントおよびカット装置へ送信するステップとを実行させるプログラム。」に訂正する。
　
（１１）　訂正事項１１
　訂正事項１０の訂正を行った特許請求の範囲の請求項５に「ＲＩＰにおいて、変換された画像データおよび輪廓データからプリントデータおよびカットデータを作成するステップと、」とあるのを、「ＲＩＰにおいて、変換された画像データおよび輪廓データからプリントデータおよびカットデータを作成するステップと、ＲＩＰソフトウエアで乾燥時間を指定するステップと、」に訂正する。
（１２）　訂正事項１２
　訂正事項１０および１１の訂正を行った特許請求の範囲の請求項５に「さらに前記プリントおよびカット装置において、プリントデータで印刷するステップと、印刷されたプリントデータが乾燥するまで待つステップと、乾燥後にカットデータに基づいて輪郭のカットを行なわせるステップとを実行させる」とあるのを、「プリントデータで印刷するステップと、印刷されたプリントデータが乾燥するまで待つステップであって、前記ＲＩＰソフトウエアで指定された乾燥時間の経過を待つステップと、乾燥後にカットデータに基づいて輪郭のカットを行なわせるステップとを実行させる」に訂正する。
　
（１３）　訂正事項１３　
　明細書の段落【００１３】に「好ましくは、プログラムは、プリントおよびカット装置において、プリントデータで印刷するステップと、印刷されたプリントデータが乾燥するまで待つステップと、乾燥後にカットデータに基づいて輪郭のカットを行なわせるステップとを実行させる。」とあるのを、「他のプログラムは、コンピュータにプリントおよびカットを行わせるプログラムであって、グラフィックソフトウェアにおいて、画像の輪廓をカットするための特色名を入力させるステップと、特色名として所望の色を選択させるステップと、選択された所望の色を含む色で画像データおよび輪廓データを作成させるステップと、作成された画像データおよび輪廓データをＲＩＰが認識可能なデータに変換して送信するステップと、ＲＩＰにおいて、変換された画像データおよび輪廓データからプリントデータおよびカットデータを作成するステップと、ＲＩＰソフトウエアで乾燥時間を指定するステップと、作成されたプリントデータおよびカットデータをプリントおよびカット装置へ送信するステップと、プリントデータで印刷するステップと、印刷されたプリントデータが乾燥するまで待つステップであって、前記ＲＩＰソフトウエアで指定された乾燥時間の経過を待つステップと、乾燥後に前記カットデータに基づいて輪廓のカットを行わせるステップと実行させる。」に訂正する。　
　            
２．本件訂正請求についての当事者の主張　
　
（１）請求人の主張　    
　
ア．訂正事項１、７は「用紙を引き出すステップ」の追加を含むところ、単に「用紙を引き出す」では、用紙をどこからどの程度引き出すのかが不明であり、このように構成が不明であることも相俟って、「用紙を引き出す」ことの目的が不明である。（弁駁書（１）３頁１２〜１６行）　
　また、請求項１、４は複数のステップを羅列してこれらのステップを「含む」や「実行させる」とされているのみであり、また、用紙を引き出すステップを規定する発明特定事項自体において他のステップとの順序が規定されているわけでもないので、被請求人が主張する作用効果を発揮し得ない順序も含まれ、印刷後且つカット前に用紙を引き出す場合があり得るとしても、被請求人が主張する上記の作用効果は明細書には一切記載されていないので、訂正事項１、７の技術的意義を認めることはできない。（弁駁書（１）４頁１５〜２７行）
　
イ．本件の明細書、図には「ＲＩＰソフトウェアで乾燥時間を指定するステップは」記載されておらず、訂正事項４、５、６、１１、１２および１３における「ＲＩＰソフトウエアで乾燥時間を指定するステップ」の追加は、新規事項の追加に該当する。（弁駁書（１）５頁１行〜６頁１９行、口頭審理陳述要領書２頁１６〜１９行）　  
　
（２）被請求人の主張　
　　　　　
ア．請求人は、本件訂正発明１は、輪廓をカットするステップと用紙を引き出すステップとの順序を規定していないこと、および用紙を引き出すことの意味内容が不明であることから、技術駅意義が不明である旨主張するが、輪廓をカットするステップと用紙を引き出すステップとの順序は訂正後の請求項１の全体の記載から自明であり、また本件特許の明細書および図面を参酌することにより当然に導かれる事項である。　
　また、請求項に記載された用語については、特段の理由がない限りその用語が有する通常の意味に解釈されるべきであり、「引き出す」という用語は通常、「中にあるものを外に出して見えるようにする」といった意味を有している。したがって、「用紙を引き出すステップ」が、印刷された部分が分かるように用紙をプリントおよびカット装置の中から外に出すステップであることは自明である（口頭審理陳述要領書４頁１６行〜５頁６行）。    
　
イ．本件特許明細書には「ＲＩＰソフトウェアで乾燥時間を指定するステップ」という文言は記載されていないが、段落【００３１】の「印刷後、ＲＩＰソフトウェアで指定されている乾燥時間の経過を待ち（Ｓ２４）、その後に、用紙を引き出す（Ｓ２５）。」との記載から、ＲＩＰソフトウェアで乾燥時間を指定するステップが存在することは自明な事項である。
　また本件特許明細書の【発明を実施するための最良の形態】の欄では、「指定」という用語は主に入力または選択という行為を意味しており、入力または選択という行為がステップに該当することは明らかである。　
　さらに、段落【００３１】には、「上記した乾燥時間は、印刷メディアによって異なるが、数分から数十分程度である。」と記載されている。この記載は、乾燥時間は予め変更不能なように一律にさだめられたものではなく、適宜に指定できるものであることを示唆しており、このことからもＲＩＰソフトウェアで乾燥時間を指定するステップが存在することを示す記載といえる（平成２７年２月６日付けで提出された上申書２頁１０〜２４行）。
　
３．当審の判断　        
　
（１）訂正事項１について　
 　訂正事項１は、本件特許の請求項１に、「前記プリントデータで用紙に印刷するステップと、前記用紙を引き出すステップと、前記カットデータに基づいて輪廓のカットを行わせるステップ」の各ステップを付加するものであるから、特許請求の範囲の減縮を目的とするものである。同様に、請求項１を引用する請求項３に係る発明を減縮するものである。　
　また、訂正事項１は、願書に添付した明細書（段落【００３０】−【００３１】）、特許請求の範囲又は図面（図５）に記載した事項の範囲において訂正をするものであり、実質上特許請求の範囲を拡張し、又は変更するものでもない。　
　
（２）訂正事項２について
 　訂正事項２は、訂正事項１により訂正する特許請求の範囲の記載と、発明の詳細な説明の記載とを整合させるためのものであるので、明りょうでない記載の釈明を目的とするものである。
　そして、訂正事項２は、願書に添付した明細書、特許請求の範囲又は図面に記載した事項の範囲において訂正をするものであり、実質上特許請求の範囲を拡張し、又は変更するものでもない。
　　
（３）訂正事項３、４、５について
　訂正事項３、４、５は、従属項であった本件特許の請求項２を独立項とし、「ＲＩＰソフトウエアで乾燥時間を指定するステップ」、前記プリントデータで印刷するステップと、前記印刷されたプリントデータが乾燥するまで待つステップ「であって、前記ＲＩＰソフトウエアで指定された乾燥時間の経過を待つステップ、」の各ステップを付加するものであるから、特許請求の範囲の減縮を目的とするものである。同様に、請求項２を引用する請求項３に係る発明を減縮するものである。
　次に本件請求項２に「ＲＩＰソフトウェアで乾燥時間を指定するステップ」を付加することが新規事項に該当するか否かについて検討する。　    
　本件特許明細書には「【００３１】印刷後、ＲＩＰソフトウェアで指定されている乾燥時間の経過を待ち（Ｓ２４）、その後に、用紙を引き出す（Ｓ２５）。ＣＰＵは特色名で指定された輪郭カットデータのみをカッティングヘッド付きインクジェットプリンタ１０に送出して、先に印刷した上に重ねて輪郭線のカットを行う（Ｓ２６）。ここで、上記した乾燥時間は、印刷メディアによって異なるが、数分から数十分程度である。」と記載されている。ここで「乾燥時間」は、「印刷メディアによって異なる」から、印刷メディアに応じて乾燥時間を指定しなければならないことは明らかである。そして当然、印刷後、印刷するメディアに応じた乾燥時間を指定しなければ乾燥時間の経過を待つことはできない。してみると上記「ＲＩＰソフトウェアで乾燥時間を指定するステップ」および「ＲＩＰソフトウェアで指定された乾燥時間の経過を待つステップ」は本件特許明細書に記載からみて自明の事項である。したがって「ＲＩＰソフトウェアで乾燥時間を指定するステップ」との事項は本願明細書の全ての記載を総合することにより導き出せる技術的事項であるから新規事項の追加であるとはいえない。　
　よって、訂正事項３、４、５は、願書に添付した明細書（段落【００３０】−【００３１】）、特許請求の範囲又は図面（図５）に記載した事項の範囲において訂正をするものであり、そして、実質上特許請求の範囲を拡張し、又は変更するものでもない。　
　　　　　　　　　　　　　　　　　　
（４）訂正事項６について
　訂正事項６は、訂正事項３、４、５により訂正する特許請求の範囲の記載と、発明の詳細な説明の記載とを整合させるためのものであるので、明りょうでない記載の釈明を目的とするものである。
　上記（３）のとおり、訂正事項６は、願書に添付した明細書（段落【００３０】−【００３１】）、特許請求の範囲又は図面（図５）に記載した事項の範囲において訂正をするものであり、そして、実質上特許請求の範囲を拡張し、又は変更するものでもない。
　
（５）訂正事項７について　
　訂正事項７は、上記（１）と同様の理由で、特許請求の範囲の減縮を目的とするものであると共に、願書に添付した明細書（段落【００３０】−【００３１】）、特許請求の範囲又は図面（図５）に記載した事項の範囲において訂正をするものであり、実質上特許請求の範囲を拡張し、又は変更するものでもない。  
　
（６）訂正事項８について　
　訂正事項８は、本件特許の請求項４のに「プログラム。。」とあるのを、「プログラム。」に訂正するものであり、誤記の訂正を目的とするものである。　
　訂正事項８は、願書に添付した明細書（段落【００３０】−【００３１】）、特許請求の範囲又は図面（図５）に記載した事項の範囲において訂正をするものであり、そして、実質上特許請求の範囲を拡張し、又は変更するものでもない。
　
（７）訂正事項９について　
　訂正事項９は、訂正事項７により訂正する特許請求の範囲の記載と、発明の詳細な説明の記載とを整合させるためのものであるので、明りょうでない記載の釈明を目的とするものである。　
　訂正事項９は、願書に添付した明細書（段落【００３０】−【００３１】）、特許請求の範囲又は図面（図５）に記載した事項の範囲において訂正をするものであり、そして、実質上特許請求の範囲を拡張し、又は変更するものでもない。
　
（８）訂正事項１０、１１、１２について　
　訂正事項１０、１１、１２は、上記（３）と同様の理由で、特許請求の範囲の減縮を目的とするものであると共に、願書に添付した明細書（段落【００３０】−【００３１】）、特許請求の範囲又は図面（図５）に記載した事項の範囲において訂正をするものであり、実質上特許請求の範囲を拡張し、又は変更するものでもない。　
　
（９）訂正事項１３について　　
　訂正事項１３は、訂正事項１０、１１、１２により訂正する特許請求の範囲の記載と、発明の詳細な説明の記載とを整合させるためのものであるので、明りょうでない記載の釈明を目的とするものである。
　訂正事項１３は、願書に添付した明細書（段落【００３０】−【００３１】）、特許請求の範囲又は図面（図５）に記載した事項の範囲において訂正をするものであり、そして、実質上特許請求の範囲を拡張し、又は変更するものでもない。
　  
（１０）請求人の主張について
　請求人は、『訂正事項１、７の「前記用紙を引き出すステップ」との事項の技術的意義が不明であり、請求項１、４に係る発明は当業者が実施することができる程度に明確であるとは言えない。』旨主張する。
　しかしながら訂正の要件は、特許法第１３４条の２第１項ただし書き第１号ないし第３号及び特許法第１３４条の２第９項の規定によって準用する特許法第１２６条第４項ないし第８項の規定に適合する事項のみであって、これらの規定される要件を満たせば訂正請求は認められるものである。
　してみると、上記請求人の主張は、上記訂正の要件とは関係のない事項であるから、上記請求人の主張は理由がない。　     
　なお、上記の請求人の主張は、無効理由１として判断した。
　　　　　　
４．小括　
 
　したがって、一群の請求項についての本件訂正は、特許法第１３４条の２第１項ただし書き第１号ないし第３号に掲げる事項を目的とし、かつ、特許法第１３４条の２第９項の規定によって準用する特許法第１２６条第５項及び第６項の規定に適合するので、当該訂正を認める。
　  
第４　本件訂正後の特許発明
　 
　上記のとおり、一群の請求項についての本件訂正は認められるから、本件特許の請求項１ないし５に記載された発明は、訂正明細書の特許請求の範囲の請求項１ないし５に記載された事項により特定される以下のとおりのものである。（以下、それぞれ「本件訂正発明１」、「本件訂正発明２」、「本件訂正発明３」、「本件訂正発明４」、及び「本件訂正発明５」という。また、これらを総称して「本件訂正発明」という。）。　
　                 
「【請求項１】　
　プリントおよびカット装置においてプリントおよびカットを行なう方法であって、
　グラフィックソフトウェアにおいて、画像の輪郭をカットするための特色名を入力させるステップと、
　前記特色名として所望の色を選択させるステップと、　
　前記選択された所望の色を含む色で画像データおよび輪郭データを作成させるステップと、
　前記作成された画像データおよび輪郭データをＲＩＰが認識可能なデータに変換して送信するステップと、
　前記ＲＩＰにおいて、変換された画像データおよび輪郭データからプリントデータおよびカットデータを作成するステップと、
　作成されたプリントデータおよびカットデータを前記プリントおよびカット装置へ送信するステップと、
　前記プリントデータで用紙に印刷するステップと、
　前記用紙を引き出すステップと、
前記カットデータに基づいて輪郭のカットを行わせるステップとを含む、プリントおよびカットを行なう方法。                                
【請求項２】
  プリントおよびカット装置においてプリントおよびカットを行なう方法であって、
  グラフィックソフトウェアにおいて　画像の輪郭をカットするための特色名を入力させるステップと、
　前記特色名として所望の色を選択させるステップと、
  前記選択された所望の色を含む色で画像データおよび輪郭データを作成させるステップと、
  前記作成された画像データおよび輪郭データをＲＩＰが認識可能なデータに変換して送信するステップと、
  前記ＲＩＰにおいて、変換された画像データおよび輪廓データからプリントデータおよびカットデータを作成するステップと、
  ＲＩＰソフトウェアで乾燥時間を指定するステップと、
  作成されたプリントデータおよびカットデータを前記プリントおよびカット装置へ送信するステップと、
　前記プリントデータで印刷するステップと、
　前記印刷されたプリントデータが乾燥するまで待つステップであって、前記ＲＩＰソフトウェアで指定された乾燥時間の経過を待つステップと、
  乾燥後に前記カットデータに基づいて輪郭のカットを行わせるステップとを含む、プリントおよびカットを行なう方法。
【請求項３】
　前記特色名は任意の色の名称を含む、諦求項１または２に記載の方法。
【請求項４】
　コンピュータにプリントおよびカット装置においてプリントおよびカットを行なわせるプログラムであって、
　グラフィックソフトウェアにおいて、画像の輪郭をカットするための特色名を入力させるステップと、
　特色名として所望の色を選択させるステップと、
　選択された所望の色を含む色で画像データおよび輪郭データを作成させるステップと、
　作成された画像データおよび輪郭データをＲＩＰが認識可能なデータに変換して送信するステップと、
　ＲＩＰにおいて、変換された画像データおよび輪郭データからプリントデータおよびカットデータを作成するステップと、
　作成されたプリントデータおよびカットデータをプリントおよびカット装置へ送信するステップと
　前記プリントデータで用紙に印刷するステップと、
　前記用紙を引き出すステップと、
  前記カットデータに基づいて輪郭のカットを行なわせるステップとを実行させるプログラム。
【請求項５】
　コンピュータにプリントおよびカット装置においてプリントおよびカットを行なわせる
プログラムであって、
  グラフィックトウェアにおいて、画像の輪郭をカットするための特色名を入力させるステップと、
　特色名として所望の色を選択させるステップと、
　選択された所望の色を含む色で画像データおよび輪郭データを作成させるステップと、
　作成された画像データおよび輪郭データをＲＩＰが認識可能なデータに変換して送信するステップと、
  ＲＩＰにおいて、変換された画像データおよび輪郭データからプリントデータおよびカットデータを作成するステップと、
  ＲＩＰソフトウェアで乾燥時間を指定するステップと、
  作成されたプリントデータおよびカットデータをプリントおよびカット装置へ送信するステップと、
　プリントデータで印刷するステップと、
　印刷されたプリントデータが乾燥するまで待つステップであって、前記ＲＩＰソフトウェアで指定された乾燥時問の経過を待つステップと、
　乾燥後にカットデータに基づいて輪郭のカットを行わせるステップとを実行させるプログラム。」
　
第５　請求人の主張及び証拠方法　
　
　請求人は、「特許第４３３６６２２号の特許請求の欄に記載された請求項１ないし５に記載された発明についての特許を無効とする。審判請求費用は被請求人の負担とする。」との審決を求め、無効理由の概要は以下のとおりであって、本件特許は無効とすべきである旨主張している。　
　 
１．訂正発明１、４の「用紙を引き出すステップ」に関して、単に「用紙を引き出す」では「用紙をどこから、どの程度引き出すのか」が不明であって、発明の詳細な説明にも用紙を引き出す処理の具体的な内容に関する説明はなく、したがって、本件特許に係る発明の詳細な説明は、当業者が請求項１及び請求項４に係る発明を実施することができる程度に明確かつ十分に記載されてものとはいえない。　
　よって本件特許に係る明細書の発明の詳細な説明の記載は、特許法第３６条第４項第１号に規定する要件を満たしていない。
　加えて、上記「用紙を引き出すステップ」については、構成が不明確であることも相俟って「用紙」を引き出すことが果たす働きや役割が不明であり、技術的意義が理解できず、そして、出願時の技術的意義を考慮すると発明を特定するための事項が不足していることが明らかである。　
　よって訂正発明１、４は、特許法第３６条第６項第２号に規定する要件を満たしていない（以下、「無効理由１」という。）。　
　　　
２．訂正された請求項１、４に係る発明に対する無効理由は、甲１号証の３を実施した発明又は甲１号証の３記載の発明と同一であり特許法第２９条第１項第２号ないし第３号に該当して特許を受けることはできないというものと、甲１号証の３を実施した発明又は甲１号証の３記載の発明において、用紙を引き出す構成が少なくとも従来技術であることの一例として甲第６、８号証に照らして、用紙を引き出す処理に係る事項は設計事項であって、当業者において容易に想到することができたものであるから、特許法第２９条第２項の規定により特許を受けることができないというものである。（以下、「無効理由２」という。）。　
　
３．訂正された請求項２、５に係る発明に対する無効理由は、甲１号証の３を実施した発明において、ソフトウェアで乾燥時間を指定する構成が少なくとも従来技術であることの一例としての甲第９号証に照らして、乾燥時間の指定に係る事項は設計事項であって当業者において容易に想到することができたものであるから特許法第２９条第２項の規定により特許を受けることができないというものと、甲１号証の３記載の発明にインク乾燥の待ちに係る技術常識（例えば、甲第５号証、甲第６号証も適宜参酌。）、前記乾燥時間の指定に係る設計事項を適宜適用することによって、当業者において容易に想到することができたものであるから、特許法第２９条第２項の規定により特許を受けることができないというものである。
（以下、「無効理由３」という。）。　
　
４．訂正されたされた請求項３に係る発明に対する無効理由は、甲１号証の３を実施した発明ないし甲１号証の３に記録された発明に、前記用紙を引き出す処理に係る設計事項、前記乾燥時間の指定に係る設計事項、特色名の指定に係る設計事項を適宜適用することによって当業者において容易に想到することができたものであるので、特許法第２９条第２項の規定により特許を受けることはできない（以下、「無効理由４」という。）。
         
５．また、上記無効理由を立証するための証拠方法は、以下のとおりである。
  　　　　
（証拠方法） 
                                       
甲第１号証の１：「Ｗａｓａｔｃｈ　ＳｏｆｔＲＩＰ　Ｖｅｒｓｉｏｎ　４．５」のヘルプファイルをプリントしたもの。
甲第１号証の２：甲第１号証の日本語訳。
甲第１号証の３：「Ｗａｓａｔｃｈ　ＳｏｆｔＲＩＰ　Ｖｅｒｓｉｏｎ　４．５」のソフトウェア、ヘルプファイルが記録されて販売されたソフトウェアＣＤ−ＲＯＭ。
　
甲第２号証の１：「Ｗａｓａｔｃｈ　ＳｏｆｔＲＩＰ　Ｖｅｒｓｉｏｎ　４．５」（シリアルナンバー７２１２、２００３年１月３０日）の送付状。
甲第２号証の２：「Ｗａｓａｔｃｈ　ＳｏｆｔＲＩＰ　Ｖｅｒｓｉｏｎ　４．５」（シリアルナンバー７２１２、２００３年１月３０日）のレジストレーションフォーム。
甲第３号証の１：「Ｗａｓａｔｃｈ　ＳｏｆｔＲＩＰ　Ｖｅｒｓｉｏｎ　４．５」（シリアルナンバー９５５５、２００２年１２月１６日）の送付状。
甲第３号証の２：「Ｗａｓａｔｃｈ　ＳｏｆｔＲＩＰ　Ｖｅｒｓｉｏｎ　４．５」（シリアルナンバー９５５５、２００２年１２月１６日）のレジストレーションフォーム。
　
甲第４号証：「Ｗａｓａｔｃｈ　ＳｏｆｔＲＩＰ　Ｖｅｒｓｉｏｎ　４．５」（シリアルナンバー７２１２）の動作報告書。
　
甲第５号証：Ｒｏｌａｎｄ　ＤＧ社製のプリントおよびカット装置（ＣＡＭＭＪＥＴ　ＣＪ−５００）のユーザマニュアル。
１頁末行に「Copyright 1999 ROLAND DG CORPORATION、末頁末行に「Ｒ２−９９１０１５」と表記されている。　   
　
甲第６号証：特開２０００−１９０４８１号公報（公開日平成１２年７月１１日）。　
　
甲第７号証：「Ｗａｓａｔｃｈ　ＳｏｆｔＲＩＰ　Ｖｅｒｓｉｏｎ　４．５」を製造販売しているＷａｓａｔｃｈ　Ｃｏｍｐｕｔｅｒ　Ｔｅｃｈｎｏｌｏｇｙ社社長の宣誓供述書。　
　
甲第８号証：特開平１１−２２１７９２号公報（公開日平成１１年８月１７日）。　
　      
甲第９号証：ＰＸ−７０００／９０００ユーザ−ズガイド
２００２年１１月２２日改訂版Ｒｅｖ．０２、末頁「改訂履歴」参照。
　
第６　被請求人の主張　
　     
　被請求人は、「本件審判請求は成り立たない。審判費用は請求人の負担とする。」との審決を求め、上記請求人の主張に対し、本件特許を無効とすべき理由はない旨の主張をしている。
　
第７　本件無効理由についての当審の判断 
　
１．無効理由１　
　請求項１、４の「用紙を引き出すステップ」とは、用紙を引き出すつまりプリントおよびカット装置内にある用紙を引っ張って外に出すことを意味する（乙１〜４号証参照）ものであって、その記載自体は明確であるし、請求項１、４全体の記載から本件特許発明を明確に把握することができる。
　また、「用紙を引き出す」ことの目的は請求項１、４の記載からは必ずしも明らかではないが、このことをもって本件特許発明が明確でないとする理由にはならない。
　したがって、本件特許の請求項１、４は明確であるから、本件特許を無効理由１により無効とすることはできない。      
　また本件明細書の発明の詳細な説明には「【００３１】 印刷後、ＲＩＰソフトウェアで指定されている乾燥時間の経過を待ち（Ｓ２４）、その後に、用紙を引き出す（Ｓ２５）。ＣＰＵは特色名で指定された輪郭カットデータのみをカッティングヘッド付きインクジェットプリンタ１０に送出して、先に印刷した上に重ねて輪郭線のカットを行う（Ｓ２６）。ここで、上記した乾燥時間は、印刷メディアによって異なるが、数分から数十分程度である。」と記載され、用紙が印刷された後、引き出されることが示されており、用紙がプリントおよびカット装置から引き出されることは当業者にとって自明の事項である。
　また、一般に引き出すとは、「（１）中にあるものを引っ張って外に出す。（２）隠れているものを取り出してわかるようにする」（乙１号証）を意味するものであるから、これらの事項を踏まえると、印刷された部分がわかるようにプリントおよびカット装置の中から外に出すことであると当業者は理解することができる。  　
　したがって、本件特許明細書の記載は、当業者においてその実施をすることができる程度に明確かつ十分に記載したものであるから、無効理由１により本件特許を無効とすることはできない。　
　
２．主な各甲号証の記載について    
　
（１）甲第１号証について
　甲第１号証の３、および甲第１号証の２によれば、以下の事実が認められる。　
　上記第５．５のとおり、甲第２号証の１、甲第２号証の２、甲第３号証の１、甲第３号証の２にはそれぞれ、「Ｗａｓａｔｃｈ　ＳｏｆｔＲＩＰ　Ｖｅｒｓｉｏｎ　４．５」が２００３年１月３０日と２００２年１２月１６日に請求人に送付されたことが示されている。よって甲第１号証の３である「Ｗａｓａｔｃｈ　ＳｏｆｔＲＩＰ　Ｖｅｒｓｉｏｎ　４．５」のソフトウェアおよびヘルプファイルが記録されたソフトウェアＣＤ−ＲＯＭは、本件出願日前に頒布されたものである。
　そして、平成２７年１月２３日の口頭審理において、 上記ヘルプファイルをプリントした甲１号証の１およびその日本語訳である甲１号証の２の内容が、編集、変更されたものではないことを確認した。
　甲第１号の３証のヘルプファイルの画像には、頁は付されていないが、甲第１号証の３の画像を印刷して、用紙に付された頁（甲第１号証の２）を、便宜上、甲第１号証の３の頁として記載する。
      
ア．「When the Contour Cutting feature is enabled, SoftRIP will extract cutting paths from PostScript jobs created in Corel Draw, Adobe Illustrator and QuarkXpress. ・・・Paths created with a spot color name such as cutpath or cutcontour will be shown as an animated blue and white dashed lines on SoftRIP’s preview screen (see Illustration C1). When output to a digital cutter or print-and-cut inkjet device, the paths shown will be cut. Illustration C1 shows artwork created for a CD-ROM label using ordinary colors. The dashed blue lines indicate where the cutpath spot color was used. When this job is sent to a print-and-cut device, the color image will be printed, then the knife will cut out the label on the paths. 」
「ＣｏｎｔｏｕｒＣｕｔｔｉｎｇ機能が有効にされると、
ＳｏｆｔＲｉｐ
ＡｄｏｂｅＩｌｌｕｓｔｒａｔｏｒ（登録商標）
で作成されたＰｏｓｔＳｃｒｉｐｔ（登録商標）ジョブからカッティングパスを抽出します。
このジョブがプリント＆カット機に送られると、カラー画像が印刷され、ナイフがパスに沿ってラベルを切り取ります。
　
イ．「The following tech note will walk you through creating a CutPath to use with Wasatch SoftRIP, from Adobe Illustrator 8, 9  10. 
4.To create a new Swatch you can click on the right arrow of the Swatch Window and select New Swatch. 
5.The Swatch name must be CutPath. 
6.The Color type must be Spot Color. 
7.The Color mode may be set to any color space you choose. Whatever color you select, SoftRIP will replace this color with marching ants along the cut path. ・・・
11.Select the Stroke Color and then select the CutPath color swatch.
12.You can create your art work with the CutPath stroke around the art you wish to have cut out. 」
［以下の技術ノートでは、ＡｄｏｂｅＩｌｌｕｓｔｒａｔｏｒ（登録商標）８／９／１０から、ＷａｓａｔｃｈＳｏｆｔＲＩＰで使用するＣｕｔＰａｔｈを作成する方法を説明します。・・・
４．新しいスウォッチを作成するためには、ＳｗａｔｃｈＷｉｎｄｏｗの右矢印をクリックしてＮｅｗＳｗａｔｃｈを選択します。
５．
スウォッチ名は必ずＣｕｔＰａｔｈにします。
６．
カラータイプは必ずＳｐｏｔＣｏｌｏｒにします。
７．カラーモードは、どのようなカラースペースを選択して設定してもよいです。どの色を選択しても、ＳｏｆｔＲＩＰがカット線上の色を「マーチングアント（点滅破線）」に変更します。・・・　
１１．Ｓｔｒｏｋｅ　Ｃｏｌｏｒを選択してから、ＣｕｔＰａｔｈカラースウォッチを選びます。 
１２．切り取りたい箇所をＣｕｔＰａｔｈ線で囲むことにより、アートワークを作成できます。］(Ａｄｏｂｅ　Ｉｌｌｕｓｔｒａｔｏｒ　８／９／１０でＣｕｔＰａｔｈを作成する　１／１頁７〜２３行)
　
ウ．「Cutting Devices
November 22, 2002 
Currently Supported:
Roland CAMMJET CJ-400/500
Mimaki CG-130 Series
Allen Datagraph 800 Plus Series」
「カッティングデバイス
２００２年１１月２２日
現在　Ｗａｓａｔｃｈ　ＳｏｆｔＲＩＰをサポートしている製品：
・Ｒｏｌａｎｄ　ＣＡＭＭＪＥＴ　ＣＪ−４００／５００
・Ｍｉｍａｋｉ　ＣＧ−１３０シリーズ
・Ａｌｌｅｎ　Ｄａｔａｇｒａｐｈ　８００プラスシリーズ
・Ｇｅｎｅｒｉｃ　ＨＰＧＬ　カッター（大半のメーカーと機種に対応）」（カッティングデバイス　１／１頁１〜７行）
         
エ．甲第１号証発明（甲第１号証の３記載の発明）の認定
　   
（ア）上記アの「カッティングパス」は、「ナイフがパスに沿ってラベルを切り取」るものであるのに対して、上記イの「ＷａｓａｔｃｈＳｏｆｔＲＩＰで使用するＣｕｔＰａｔｈ」は、「切り取りたい箇所をＣｕｔＰａｔｈ線で囲む」ものであるから、上記アの「カッティングパス」と上記イの「ＷａｓａｔｃｈＳｏｆｔＲＩＰで使用するＣｕｔＰａｔｈ」は同意である。
　
（イ）上記イの「マーチングアント（点滅破線）」は上記アの「点滅する青と白の破線（図Ｃ１を参照）」と同じものであり、上記イの「どの色を選択しても、ＳｏｆｔＲＩＰがカット線上の色を「マーチングアント（点滅破線）」に変更」するとの記載から、「カッティングパス」には任意の色（どの色）が選択されるといえる。
　よって、上記イの記載を踏まえると、ＡｄｏｂｅＩｌｌｕｓｔｒａｔｏｒ（登録商標）８／９／１０により、カッティングパスを作成することは、スウォッチ名をＣｕｔＰａｔｈに設定し、カラータイプはＳｐｏｔＣｏｌｏｒに設定し、任意の色を選択する手順を含んでいるといえる。 　   
（ウ）上記アより、「ＰｏｓｔＳｃｒｉｐｔ（登録商標）ジョブ」は「ＡｄｏｂｅＩｌｌｕｓｔｒａｔｏｒ（登録商標）８／９／１０」で作成されるものであり、ＳｏｆｔＲｉｐは該「ＰｏｓｔＳｃｒｉｐｔ（登録商標）ジョブ」からカッティングパス（ＣｕｔＰａｔｈ）を抽出することや、カラー画像が印刷され、ナイフがパスに沿ってラベルを切り取ることからみて、該「ＰｏｓｔＳｃｒｉｐｔ（登録商標）ジョブ」には「カラー画像データ」と「カッティングパス（ＣｕｔＰａｔｈ）」を備えているといえる。また上記「ＳｏｆｔＲｉｐ」と「ＷａｓａｔｃｈＳｏｆｔＲＩＰ」は同意である。
（エ）上記ア、イには、カラー画像の印刷と、ラベルを切り取りをするための各手順が記載されているので、カラー画像の印刷と、ラベルを切り取りをするための方法が記載されているといえる。       
　
（オ）上記ア〜ウの開示事項および上記（ア）〜（エ）を総合すると、甲第１号証には、以下のとおりの発明つまり、甲第１号証の３記載の発明が示されていると認められる（以下「甲第１号証発明」という。）。
　    
「ＡｄｏｂｅＩｌｌｕｓｔｒａｔｏｒ（登録商標）８／９／１０を操作して、スウォッチ名をＣｕｔＰａｔｈに設定しカラータイプはＳｐｏｔＣｏｌｏｒに設定し任意の色を選択する操作をおこない作成されたカッティングパスと、カラー画像データが含まれるＰｏｓｔＳｃｒｉｐｔ（登録商標）ジョブをＡｄｏｂｅＩｌｌｕｓｔｒａｔｏｒ（登録商標）８／９／１０で作成し、ＷａｓａｔｃｈＳｏｆｔＲＩＰ（登録商標）は前記ＰｏｓｔＳｃｒｉｐｔ（登録商標）ジョブからカッティングパスを抽出するものであり、このジョブがプリント＆カット機に送られると、カラー画像が印刷され、ナイフがパスに沿ってラベルを切り取る方法。」          
　
オ　甲１号証の３を実施した発明の認定
　甲第４号証によれば、以下のとおりの事項が記載されている。
「ＩＩＩ　動作確認の概要
構成
　下図の構成にてＳｏｆｔＲＩＰを使用してプリントカットを行った。各装置およびソフトウェアは、いずれも本件特許出願日（２００４年５月２６日）前に一般に販売されている表１に記載のものである。使用したプリント＆カット装置「ＣＡＭＭＪＥＴ　ＣＪ−５００」の写真も以下に示す。
」（１頁１１行〜２頁上欄）
　上記構成図の「ＰＣ」とは上記表１の「『パソコン』と『Ｔｈｉｎｋ　Ｐａｄ　Ａ２１ｐ』」のことであり、以下同様に「Ｉｌｌｕｓｔｒａｔｏｒ　ｖ８．０」は「『グラフィックソフトウェア」と『Ａｄｏｂｅ　Ｉｌｌｕｓｔｒａｔｏｒ　ｖ８．０Ｊ』」であり、「ＳｏｆｔＲＩＰ　ｖ４．５」は「『ＲＩＰ（Ｒａｓｔｅｒ　Ｉｍａｇｅ　Ｐｒｏｃｅｓｓ）ソフトウェア』と『Ｗａｓａｔｃｈ　ＳｏｆｔＲＩＰ　ｖ４．５』」であり、「Ｗｉｎｄｏｗｓ９８」は「『ＯＳ』と『Ｗｉｎｄｏｗｓ９８』」であり、「『ＣＡＭＭＪＥＴ　ＣＪ−５００』と『Ｐｒｉｎｔ＆Ｃｕｔ　ｄｅｖｉｃｅ』」は「『Ｒｏｌａｎｄ　ＣＡＭＭＪＥＴ　ＣＪ−５００』と『プリント＆カット装置』」である。
　上記構成図のＰＣ内部に示された「Ｉｌｌｕｓｔｒａｔｏｒ　ｖ８．０」、「ＳｏｆｔＲＩＰ　ｖ４．５」及び「Ｗｉｎｄｏｗｓ９８」は、これらのソフトウェアがＰＣにインストールされていることを示している。
　上記構成図の「ＩＥＥＥ１２８４」とは、下記デジタル大辞泉によれば、主にプリンタ用のインターフェース規格であり。インターフェースとは、下記ASCII.jpデジタル用語辞典によれば、コンピューターと周辺機器を接続するための規格や仕様・・・ハードウェアでは、機器同士を接続するコネクターの規格を指すものであるので、上記構成図には「ＰＣ」と「Ｐｒｉｎｔ＆Ｃｕｔ　ｄｅｖｉｃｅ」がＩＥＥＥ１２８４規格のコネクタによって接続されているといえる。　
デジタル大辞泉
アイトリプルイー‐いちにはちよん【IEEE1284】
IEEE（米国電気電子学会）が制定した、パラレルポートのインターフェース規格。主にプリンター用。
ASCII.jpデジタル用語辞典
インターフェース
コンピューターと周辺機器を接続するための規格や仕様、またはユーザーがコンピューターなどを利用するための操作方法や概念のこと。ハードウェアでは、機器同士を接続するコネクターの規格を指す。ソフトウェアでは、プログラム間でデータをやり取りするために定められた仕様やAPIなどがある。人間がコンピューターを操作しやすくするための技術を、ヒューマンインターフェース、またはユーザーインターフェースと呼ぶ。パソコンでは、画面に表示されるメニューやボタンをキーボードやマウス、タッチパネルなどを使って操作するグラフィカル・ユーザーインターフェース（GUI）が採用されている。
　よって、上記構成図と表１には、「ＡｄｏｂｅＩｌｌｕｓｔｒａｔｏｒ（登録商標）８とＷａｓａｔｃｈＳｏｆｔＲＩＰ（登録商標）ｖ４．５とＷｉｎｄｏｗｓ９８をインストールしたパソコン（Think Pad A21p)と、プリント＆カット装置（CAMMJET CJ-500）をＩＥＥＥ１２８４規格のコネクタによって接続した構成」が開示されているといえる。
　
　上記甲第４号証の開示事項および上記エを総合すると、甲１号証の３を実施した発明とは、以下のとおりの発明であると認められる（以下「甲第１号証実施発明」という。）。
         
「ＡｄｏｂｅＩｌｌｕｓｔｒａｔｏｒ（登録商標）８とＷａｓａｔｃｈＳｏｆｔＲＩＰ（登録商標）ｖ４．５とＷｉｎｄｏｗｓ９８をインストールしたパソコン（Think Pad A21p)と、プリント＆カット装置（CAMMJET CJ-500）をＩＥＥＥ１２８４規格のコネクタによって接続した構成において、ＡｄｏｂｅＩｌｌｕｓｔｒａｔｏｒ（登録商標）８を操作して、スウォッチ名をＣｕｔＰａｔｈに設定しカラータイプはＳｐｏｔＣｏｌｏｒに設定し任意の色を選択する操作をおこない作成されたカッティングパスと、カラー画像データが含まれるＰｏｓｔＳｃｒｉｐｔ（登録商標）ジョブをＡｄｏｂｅＩｌｌｕｓｔｒａｔｏｒ（登録商標）８／９／１０で作成し、ＷａｓａｔｃｈＳｏｆｔＲＩＰ（登録商標）ｖ４．５は前記ＰｏｓｔＳｃｒｉｐｔ（登録商標）ジョブからカッティングパスを抽出するものであり、このジョブがプリント＆カット機に送られると、カラー画像が印刷され、ナイフがパスに沿ってラベルを切り取る方法。」
　上記のとおり、甲第１号証の３である「Ｗａｓａｔｃｈ　ＳｏｆｔＲＩＰ　Ｖｅｒｓｉｏｎ　４．５」のソフトウェアおよびヘルプファイルが記録されたソフトウェアＣＤ−ＲＯＭは、本件出願日前に頒布されたものであり、下記（２）で後記のとおり、Ｒｏｌａｎｄ　ＤＧ社製のプリントおよびカット装置（ＣＡＭＭＪＥＴ　ＣＪ−５００）のユーザマニュアルである甲第５号証は、本件出願日前に頒布されたものである。
　しかしながら、上記甲第１号証実施発明が、本件の出願前に公然実施された状態であったことを示す証拠は何ら提出されていないので、上記甲第１号証実施発明が、公然実施された状態であったものとは認められないが、さらに本件訂正発明が甲第１号証実施発明と同一であるか、また、甲第１号証発明が、甲第５、６、８、９号証発明に基づいて当業者が容易に発明することができたか否かについて検討する。
　  　
（２）甲第５号証
　上記第５．５のとおり、甲第５号証には、「Copyright 1999 ROLAND DG CORPORATION」と「Ｒ２−９９１０１５」の表記があるので、甲第５号証は、本件出願日前に頒布されたものである。そして、甲第５号証には、以下のとおり記載されている。
「This sets the drying time for the material.For materials with low absorbency that are difficult to dry ,make the settinng for a longer time. When printing is followed by cutting.cutting is performed after waiting for the set time.」
「これは
印刷物の乾燥時間を設定する。
印刷に続いてカッティングが行われるときには、カッティングは、設定時間の間待機した後に行われる。
　上記第５．５のとおり、甲第５号証は、プリントおよびカット装置（ＣＡＭＭＪＥＴ　ＣＪ−５００）のユーザマニュアルであるから、上記「設定」はプリントおよびカット装置の操作であり、同「印刷」、同「カッティング」は、プリントおよびカット装置の動作である。
　
　上記から、甲第５号証には、以下のとおりの事項が示されていると認められる（以下「甲第５号証発明」という。）。
「印刷物の乾燥時間を設定し、印刷に続いてカッティングが行われるときには、カッティングは、設定時間の間待機した後に行われるプリントおよびカット装置。」
　　
（３）甲第６号証　
　上記第５．５のとおり、甲第６号証の公開日は、平成１２年７月１１日であるから、甲第６号証は、本件出願日前に頒布されたものである。そして、甲第６号証には、以下のとおり記載されている。　
　
「【００１８】図２は、インクジェット記録装置１００の側断面図である。プラテン２０１は、被記録材（メディア）であるロール紙２０２を上面に載置する。ＣＰＵ２１は、
ロール紙２０２がロール２１１から引き出されてプラテン２０１上にセットされたことをメディアセンサ２０３により検出すると、吸引ファン２０４を回転させ、プラテン２０１上に設けられたメディアの吸引孔２０８からの吸引によりロール紙２０２をプラテン上に吸い付ける。
【００１９】ロール紙２０２は、グリッドローラ２０６とピンチローラ２０７によって駆動搬送されて、プラテン２０１上を移動する。プラテン２０１の上方には、プラテン２０１と平行に例えば２本の互いに平行なガイドシャフトが架設されている。ガイドシャフトには、スライド軸受けを介して往復移動自在にキャリッジが取り付けられており、キャリッジをガイドシャフトに沿って平行に移動し得るようにしている。このキャリッジには、インクを吐出するヘッド２０５が搭載されている。キャリッジは、キャリッジモータ（図４の３４）およびベルト（図示せず）により、制御部２０の制御に応じて動作し、搭載しているヘッド２０５をガイドシャフトに平行に往復移動させる。キャリッジの移動可能範囲の一端の画像形成領域外の退避位置に、前記回復系ユニット３７が設けられている。
【００２０】このような構成において、
ヘッド２０５はキャリッジと共にガイドシャフトに沿って左右に移動する、このとき、図示していないノズルからインクを吐出し、ノズル幅分の画像を形成する。次にロール紙２０２はグリッドローラ２０６とピンチローラ２０７によってノズル幅分搬送される。この繰り返しで画像形成が行われる。
【００２１】
画像の形成終了後、
カッター３０１を移動させることによりロール紙２０２は所定の長さにカットされる。
【００２２】カッター３０１によるロール紙２０２のカットで、
印字の終了した部分（以下、印字カット紙片またはメディア片）３０２と、印字前のロール紙２０２とが分離される。印字カット紙片３０２の吸引を行うことにより、インクの乾燥に必要な時間（インク乾燥期間）、印字カット紙片３０２を保持し、画像の保護を行う。
　上記から、甲第６号証には、以下のとおりの発明が示されていると認められる（以下「甲第６号証発明」という。）。
「ロール紙２０２がロール２１１から引き出されてプラテン２０１上にセットされたことをメディアセンサ２０３により検出すると、吸引ファン２０４を回転させ、プラテン２０１上に設けられたメディアの吸引孔２０８からの吸引によりロール紙２０２をプラテン上に吸い付け、ヘッド２０５はキャリッジと共にガイドシャフトに沿って左右に移動しノズルからインクを吐出し、ノズル幅分の画像を形成し、次にロール紙２０２はグリッドローラ２０６とピンチローラ２０７によってノズル幅分搬送され、この繰り返しで画像形成が行われ、画像の形成終了後、カッター３０１を移動させることによりロール紙２０２は所定の長さにカットされ、印字の終了した部分（以下、印字カット紙片またはメディア片）３０２と、印字前のロール紙２０２とが分離され、印字カット紙片３０２の吸引を行うことにより、インクの乾燥に必要な時間（インク乾燥期間）、印字カット紙片３０２を保持し、画像の保護を行うインクジェット記録装置。」　
　
（４）甲第８号証　
　上記第５．５のとおり、甲第８号証の公開日は、平成１１年８月１７日であるから、甲第８号証は、本件出願日前に頒布されたものである。そして、甲第８号証には、以下のとおり記載されている。　　
「【０００７】次に、本発明のラベル作成装置によるラベル作成動作を説明する。ラベル作成動作の前に、操作者は記録部１のサーマルヘッド部１１をプラテン１２から、ラミネート加工部２の圧着ローラ２１を搬送ローラ２２から、さらに切断機部３のピンチローラ３５を駆動ローラ３６からそれぞれ離反させておく。次にシート材料４０を搬送ローラ２２まで引き出して、インクリボン１３より巻き戻されたインクシートを介してサーマルヘッド１１をプラテン１２に圧接させるとともに、圧着ローラ２１を搬送ローラ２２に圧接して、引き出したシート材料４０とラミネートフィルムを挟持させる。この状態で、図示しない駆動機構により搬送ローラ２２を図の矢印方向に回転駆動して、シート材料４０の先端部分が切断機部３のピンチローラ３５および駆動ローラ３６に達する位置まで搬送し、ピンチローラ３５を駆動ローラ３６に圧接してシート材料４０の（搬送方向と直交する方向の）両端部を挟持させる。これで、ラベル作成装置は待機状態となる。
【０００８】ラベル作成動作において、図示しない制御装置は、コンピュータ等の上位装置より送信される記録データに基づいて、搬送ローラ２２を回転駆動してシート材料４０を搬送するとともに、
サーマルヘッド１１に形成された複数の発熱抵抗素子を選択的に発熱駆動する。
インクシート上に塗布されたインクが溶融されてシート材料４０の表面上に転写され、所望の画像が形成される。
記録が行われたシート材料４０はラミネート加工部２に搬送される。
【０００９】記録部１により記録が行われたシート材料４０は、圧着ローラ２１によりラミネートフィルムを介して搬送ローラ２２に押圧されているので、図示しない駆動機構により搬送ローラ２２が回転駆動することにより、
シート材料４０は順次搬送されると同時に、その表面部分全体にラミネートフィルムが圧着されて、ラミネート加工が施される。記録、およびラミネート加工が行われたシート材料４０は、切断機部３に搬送される。
【００１０】
制御装置は、切断データ（記録部１により記録を行った個々のラベルの外形データなど）に基づいて、駆動ローラ３６の駆動機構、ホルダ３２の上下動機構、キャリッジ３３の駆動機構を制御して、シート材料４０（ラミネート加工が施された粘着シート部分）を切断する。
個々のラベルが作成される。
　上記から、甲第８号証には、以下のとおりの発明が示されていると認められる（以下「甲第８号証発明」という。）。
「ラベル作成動作において、サーマルヘッド１１に形成された複数の発熱抵抗素子を選択的に発熱駆動し、インクシート上に塗布されたインクが溶融されてシート材料４０の表面上に転写され、所望の画像が形成され、記録が行われたシート材料４０はラミネート加工部２に搬送され、シート材料４０は順次搬送されると同時に、その表面部分全体にラミネートフィルムが圧着されて、ラミネート加工が施され、記録、およびラミネート加工が行われたシート材料４０は、切断機部３に搬送され、制御装置は、切断データ（記録部１により記録を行った個々のラベルの外形データなど）に基づいて、駆動ローラ３６の駆動機構、ホルダ３２の上下動機構、キャリッジ３３の駆動機構を制御して、シート材料４０（ラミネート加工が施された粘着シート部分）を切断して、個々のラベルが作成されるラベル作成装置。」
  
（５）甲第９号証  
　上記第５．５のとおり、甲第９号証は、２００２年１１月２２日に頒布されたことが示されているから、甲第９号証は、本件出願日前に頒布されたものである。そして、甲第９号証には、以下のとおり記載されている。
「
ＥＰＳＯＮ　ＰＸ−７０００／９０００
「プリンタドライバの設定画面の開きかたやボタン名は、各アプリケーションソフトによって異なります。詳細は、各ソフトウェアの取扱説明書を参照してください。・・・
アプリケーションソフトを起動します。
［ファイル］メニューから［ページ設定］（または［用紙設定］などの用紙設定関連コマンド）を選択します。・・・
Ｗｉｎｄｏｗｓ からの印刷」（２８頁）、　
「［用紙調整］ダイアログ　
［手動設定］ダイアログで［用紙調整］ボタンをクリックすると、［用紙調整］ダイアログが開いて、用紙関連の以下の設定が行えます。エプソン純正専用紙以外用紙をお使いになる場合は、お使いになる
用紙
の特性に合わせて［用紙調整］ダイアログで設定
　
ヘッドパス毎の乾燥時間
インクが乾燥するまでプリントヘッドの往復移動を停止する時間
　上記から、甲第９号証には、以下のとおりの発明が示されていると認められる（以下「甲第９号証発明」という。）。　
「プリンタ　ＥＰＳＯＮ　ＰＸ−７０００／９０００において、紙の特性に合わせて用紙調整ができ、インクが乾燥するまでプリントヘッドの往復移動を停止する時間即ちヘッドパス毎の乾燥時間を設定できるプリンタ。」
　      
３．本件訂正発明１について　
　
（１）対比
ア． 本件訂正発明１と、甲第１号証発明を対比すると、
　後者における「任意の色を選択」は、前者における「所望の色を選択」に相当し、以下同様に、「カッティングパス」は「『輪郭データ』と『カットデータ』」に、「カラー画像データ」は「『画像データ』と『プリントデータ』」に、「ＰｏｓｔＳｃｒｉｐｔ（登録商標）ジョブ」は「ＲＩＰが認識可能なデータ」に、「ＡｄｏｂｅＩｌｌｕｓｔｒａｔｏｒ（登録商標）８／９／１０」は「グラフィックソフトウェア」に、「ＷａｓａｔｃｈＳｏｆｔＲＩＰ（（登録商標）」は「ＲＩＰ」に、「プリント＆カット機」は「プリントおよびカット装置」に、「カラー画像が印刷され、ナイフがパスに沿ってラベルを切り取る方法」は「プリントおよびカットを行なう方法」に、それぞれ相当する。
　
イ．後者の「ＡｄｏｂｅＩｌｌｕｓｔｒａｔｏｒ（登録商標）８／９／１０の操作においてスウォッチ名をＣｕｔＰａｔｈに設定し」の「スウォッチ」とは、下記（ウ）によれば、カラーや濃度（色合い）、グラデーション、パターンに名前を付けたものであるから、「スウォッチ名をＣｕｔＰａｔｈに設定」することは、色の名を「ＣｕｔＰａｔｈ」とすることであるといえる。
　また、後者の「ＡｄｏｂｅＩｌｌｕｓｔｒａｔｏｒ（登録商標）８／９／１０を操作して・・・カラータイプはＳｐｏｔＣｏｌｏｒに設定し」の「ＳｐｏｔＣｏｌｏｒ」とは、「特色」の意味（下記（ア）、（イ）参照。）であるので、上記「カラータイプはＳｐｏｔＣｏｌｏｒに設定」することは、「カラータイプは特色に設定」することであるといえる。
　また、後者の「カッティングパス」とは、「ナイフがパスに沿ってラベルを切り取る」ものであるから、前者の「画像の輪郭をカットするため」のものといえる。
　よって、甲第１号証発明は、カラータイプを特色に設定し、該特色の名（スウォッチ名）を「ＣｕｔＰａｔｈ」とした色に所望の色を選択するものであるから、前者の「画像の輪郭をカットするための特色名を入力させるステップと、前記特色名として所望の色を選択させるステップ」を備えているといえる。
               
（ア）研究社 英和コンピューター用語辞典
spot color―【名詞】
スポットカラー, 特色《表示したい色のインクを使って実現する色; cf. process color》.
  　                    
（イ）デジタル大辞泉
スポット‐カラー【spot color】
　カラー印刷をするとき、特別に調合したインクで表される色。通常の色は、青緑色（cyan）、赤紫色（magenta）、黄色（yellow）、黒（black）の4色（CMYK）の割合を変えたプロセスカラーで表されるが、金、銀、蛍光色などはあらかじめ個別のインクが用いられる。特色。特練色。
　　
（ウ）アドビ（adobe）社ホームページ、Illustrator /スウォッチの説明　
「Illustrator /スウォッチの使用と作成       
スウォッチについて       
スウォッチとは、カラーや濃度（色合い）、グラデーション、パターンに名前を付けたものです。ドキュメントに関連付けられたスウォッチはスウォッチパネルに表示されます。スウォッチの表示方法には個別表示とグループ表示があります。
https://helpx.adobe.com/jp/illustrator/using/using-creating-swatches.html」
　
ウ．後者の「カッティングパス」は「任意の色が選択され」るものであるから、前者の「選択された所望の色を含む」といえる。
　後者の「カッティングパスと、カラー画像データ」は、いずれの段階かで作成されるものである。
　よって、甲第１号証発明は、「選択された所望の色を含む色で画像データおよび輪郭データを作成させるステップ」を有するといえる。
　
エ．後者の「ＰｏｓｔＳｃｒｉｐｔ（登録商標）ジョブ」は、「カッティングパス（輪廓データ）と、カラー画像データ（画像データ）が含まれる」ものであるから、「カッティングパス（輪廓データ）と、カラー画像データ（画像データ）から「ＰｏｓｔＳｃｒｉｐｔ（登録商標）ジョブ」に変換されるといえる。
　後者の「ＰｏｓｔＳｃｒｉｐｔ（登録商標）ジョブ」とは、ＲＩＰによって認識されるデータ（下記（ア）参照。）である。          
　後者の「ＡｄｏｂｅＩｌｌｕｓｔｒａｔｏｒ（登録商標）８／９／１０」は「ＰｏｓｔＳｃｒｉｐｔ（登録商標）ジョブ」を作成し、同「ＷａｓａｔｃｈＳｏｆｔＲＩＰ（登録商標）は前記ＰｏｓｔＳｃｒｉｐｔ（登録商標）ジョブからカッティングパスを抽出するものであ」るから、「ＰｏｓｔＳｃｒｉｐｔ（登録商標）ジョブ」は「ＡｄｏｂｅＩｌｌｕｓｔｒａｔｏｒ（登録商標）８／９／１０」から「ＷａｓａｔｃｈＳｏｆｔＲＩＰ（登録商標）」へ送信されるといえる。
　よって、甲第１号証発明は、「作成された画像データおよび輪郭データをＲＩＰが認識可能なデータに変換して送信するステップ」を有するといえる。
　
（ア）デジタル大辞泉
リップ【RIP】［raster image processor］
《raster image processor》PostScriptのデータをビットマップに展開するためのハードウエア。同じ機能をもたせた
ソフトウエアRIP
オ．上記エ．のとおり、後者の「ＰｏｓｔＳｃｒｉｐｔ（登録商標）ジョブ」は、「カッティングパス（輪廓データ）と、カラー画像データ（画像データ）から変換されたものである。
　後者の「ＰｏｓｔＳｃｒｉｐｔ（登録商標）ジョブ」は、「カッティングパスと、カラー画像データが含まれる」ものであり、ＷａｓａｔｃｈＳｏｆｔＲＩＰ（登録商標）は前記ＰｏｓｔＳｃｒｉｐｔ（登録商標）ジョブからカッティングパスを抽出するものである。
　「プリント＆カット機」は、カラー画像を印刷し、ナイフがパスに沿ってラベルを切り取るものであるから、該パス（カッティングパス）はＷａｓａｔｃｈＳｏｆｔＲＩＰ（登録商標）が前記ＰｏｓｔＳｃｒｉｐｔ（登録商標）ジョブから抽出したものである。
　そして、上記エ．（ア）のとおり、ＲＩＰとはＰｏｓｔＳｃｒｉｐｔのデータをビットマップ（画像データ）に展開するものであることを勘案すると、「プリント＆カット機」で印刷されるカラー画像のデータは、上記パス（カッティングパス）と同様に、ＷａｓａｔｃｈＳｏｆｔＲＩＰ（登録商標）が前記ＰｏｓｔＳｃｒｉｐｔ（登録商標）ジョブから抽出されたものであると解される。
　そして、上記ア．のとおり、後者の「カッティングパス」、「カラー画像データ」はそれぞれ前者の「『輪郭データ』と『カットデータ』」、「『画像データ』と『プリントデータ』」に相当するから、甲第１号証発明は、「ＲＩＰにおいて、変換された画像データおよび輪郭データからプリントデータおよびカットデータを作成するステップ」を有するといえる。
カ．したがって、両者は、
　「プリントおよびカット装置においてプリントおよびカットを行なう方法であって、
　グラフィックソフトウェアにおいて、画像の輪郭をカットするための特色名を入力させるステップと、
　前記特色名として所望の色を選択させるステップと、　
　前記選択された所望の色を含む色で画像データおよび輪郭データを作成させるステップと、
　前記作成された画像データおよび輪郭データをＲＩＰが認識可能なデータに変換して送信するステップと、　
　前記ＲＩＰにおいて、変換された画像データおよび輪郭データからプリントデータおよびカットデータを作成するステップと、　
　作成されたプリントデータおよびカットデータを前記プリントおよびカット装置へ送信するステップと、
　前記プリントデータで用紙に印刷するステップと、
　前記カットデータに基づいて輪郭のカットを行わせるステップとを含む、プリントおよびカットを行なう。」点で一致し、以下の点で相違している。　
［相違点１］　
　本件訂正発明１は、「用紙を引き出すステップ」を備えるのに対し、甲第１号証発明は、そのようなものは備えていない点。　
　
（２）判断　
　そうすると、甲第１号証発明は、上記相違点１に係る本件訂正発明１の発明特定事項を具備していない。
　したがって、本件訂正発明１が、甲第１号証発明であるとすることはできない。 
　       
　上記相違点１について以下検討する。　
　甲第６号証発明は、「ヘッド２０５はキャリッジと共にガイドシャフトに沿って左右に移動しノズルからインクを吐出し、ノズル幅分の画像を形成し、次にロール紙２０２はグリッドローラ２０６とピンチローラ２０７によってノズル幅分搬送され、この繰り返しで画像形成が行われ、画像の形成終了後、カッター３０１を移動させることによりロール紙２０２は所定の長さにカットされ」るものであり、甲第８号証発明は「サーマルヘッド１１に形成された複数の発熱抵抗素子を選択的に発熱駆動し、インクシート上に塗布されたインクが溶融されてシート材料４０の表面上に転写され、所望の画像が形成され、記録が行われたシート材料４０はラミネート加工部２に搬送され、シート材料４０は順次搬送されると同時に、その表面部分全体にラミネートフィルムが圧着されて、ラミネート加工が施され、記録、およびラミネート加工が行われたシート材料４０は、切断機部３に搬送され」るものであって、つまり、印刷を行う行程において用紙が搬送されるものであって、本件訂正発明１のように印刷が終わった後に用紙を引き出すものではないから、上記相違点１に係る本件訂正発明１の発明特定事項は備えていない。
　そして、甲第１号証発明は、Ｗａｓａｔｃｈ　ＳｏｆｔＲＩＰＶｅｒｓｉｏｎ　４．５のヘルプファイルであって、甲第１号証発明の課題等に関する事項は示されておらず、また甲第１号証発明の課題を立証する証拠も存在しないから、甲第１号証発明に、甲第６、８号証発明を適用する動機付けも見出せないし、また相違点１に係る本願発明の発明特定事項が設計的事項とする根拠もない。
　また甲第５、９号証も、それぞれ「印刷物の乾燥時間を設定し、印刷に続いてカッティングが行われるときには、カッティングは、設定時間の間待機した後に行われる」、「紙の特性に合わせて用紙調整ができ、インクが乾燥するまでプリントヘッドの往復移動を停止する時間即ちヘッドパス毎の乾燥時間を設定できる」ものであるから「用紙を引き出す」ことを備えるものではない。　
　したがって、甲第１号証発明に相違点１に係る本件訂正発明１の発明特定事項を適用することは、当業者が容易に想到し得たということはできない。
（３）小括　       
　
　よって、甲第１号証発明において、上記相違点１に係る本件訂正発明１の発明特定事項を備えるものとすることが、当業者にとって容易に想到し得るものではないから、本件訂正発明１についての特許は、無効理由２により無効とすることはできない。
４．本件訂正発明２について
 
（１）対比
　本件訂正発明２と甲第１号証発明を対比すると、
 
　上記３．で検討したと同様に、両者は、
 
「プリントおよびカット装置においてプリントおよびカットを行なう方法であって、
  グラフィックソフトウェアにおいて　画像の輪郭をカットするための特色名を入力させるステップと、
　前記特色名として所望の色を選択させるステップと、
  前記選択された所望の色を含む色で画像データおよび輪郭データを作成させるステップと、
  前記作成された画像データおよび輪郭データをＲＩＰが認識可能なデータに変換して送信するステップと、
  前記ＲＩＰにおいて、変換された画像データおよび輪廓データからプリントデータおよびカットデータを作成するステップと、
  作成されたプリントデータおよびカットデータを前記プリントおよびカット装置へ送信するステップと、
　前記プリントデータで印刷するステップと、
　乾燥後に前記カットデータに基づいて輪郭のカットを行わせるステップとを含む、プリントおよびカットを行なう方法。」
　の点で一致し、以下の点で相違している。
［相違点２］　
　本件訂正発明２は、「ＲＩＰソフトウェアで乾燥時間を指定するステップ」と、「前記印刷されたプリントデータが乾燥するまで待つステップであって、前記ＲＩＰソフトウェアで指定された乾燥時間の経過を待つステップ」を備えるのに対し、甲第１号証発明は、そのようなものは備えていない点。　
　
（２）判断　
　
　上記相違点２について以下検討する。
　２．（２）で示したとおり、甲第５号証発明において印刷物の乾燥時間を設定することは、プリントおよびカット装置の操作として行うものであり、本件訂正発明２のように「ＲＩＰソフトウェア」で「乾燥時間」を指定するものではないから、上記相違点２に係る本件訂正発明２の発明特定事項は備えていない。
　甲第９号証発明の、「プリンタ　ＥＰＳＯＮ　ＰＸ−７０００／９０００において、紙の特性に合わせて用紙調整ができ、インクが乾燥するまでプリントヘッドの往復移動を停止する時間即ち、ヘッドパス毎の乾燥時間）を設定できるプリンタ」について、上記の「ヘッドパス」とは、プリントヘッドが往復動しながらプリントするシリアル型のインクジェットプリンタにおいて、前記往復動の一行程のことを指すので、上記「ヘッドパス毎の乾燥時間」とは、プリント中のプリントヘッドの往復動作毎にヘッドを停止させる時間のことであり、本件訂正発明２のように印刷が終了した後に乾燥時間を設けるものではないから、上記相違点２に係る本件訂正発明２の発明特定事項は備えていない。
　そして、甲第１号証発明は、Ｗａｓａｔｃｈ　ＳｏｆｔＲＩＰＶｅｒｓｉｏｎ　４．５のヘルプファイルであって、甲第１号証発明の課題等に関する事項は示されておらず、また甲第１号証発明の課題を立証する証拠も存在しないから、甲第１号証発明に、甲第５、９号証発明を適用する動機付けも見出せないし、また相違点２に係る本願発明の発明特定事項が設計的事項とする根拠もない。
　また甲第６、８号証も、それぞれ、「ヘッド２０５はキャリッジと共にガイドシャフトに沿って左右に移動しノズルからインクを吐出し、ノズル幅分の画像を形成し、次にロール紙２０２はグリッドローラ２０６とピンチローラ２０７によってノズル幅分搬送され、この繰り返しで画像形成が行われ、画像の形成終了後、カッター３０１を移動させることによりロール紙２０２は所定の長さにカットされ」るもの、「サーマルヘッド１１に形成された複数の発熱抵抗素子を選択的に発熱駆動し、インクシート上に塗布されたインクが溶融されてシート材料４０の表面上に転写され、所望の画像が形成され、記録が行われたシート材料４０はラミネート加工部２に搬送され、シート材料４０は順次搬送されると同時に、その表面部分全体にラミネートフィルムが圧着されて、ラミネート加工が施され、記録、およびラミネート加工が行われたシート材料４０は、切断機部３に搬送され」るものであって、つまり、印刷を行う行程において用紙が搬送されるものであるから、「乾燥時間」を指定するものではない。
　したがって、甲第１号証発明に相違点２に係る本件訂正発明２の発明特定事項を適用することは、当業者が容易に想到し得たということはできない。
　
（３）小括
 
　よって、甲第１号証発明において、上記相違点２に係る本件訂正発明２の発明特定事項を備えるものとすることが、当業者にとって容易に想到し得るものではないから、本件訂正発明２についての特許は、無効理由３により無効とすることはできない。
５．本件訂正発明３〜５について
　（１）本件訂正発明３〜５について検討すると、本件訂正発明３は、本件訂正発明１、２を引用するものであって、上記３、４のとおり、本件訂正発明１、２が、当業者にとって容易に発明することができたものとはいえないのであるから、同様に本件訂正発明３は、当業者が容易に発明することができたものとはいえない。 
　（２）本件訂正発明４、５は「プログラム」に係る発明であるのに対して、本件訂正発明１、２は「方法」に係る発明である以外、本件訂正発明４、５はそれぞれ本件訂正発明１、２と発明特定事項に異なるところはない。
　よって、本件訂正発明４、５についての特許は、それぞれ上記３、４で示した本件訂正発明１、２に対すると同じ理由で無効とすることはできない。
　　          
（２）小括
 
　よって、本件訂正発明３〜５についての特許は、無効理由２〜４により無効とすることはできない。
６．甲１号証実施発明について
　上記２．（１）オで示したように、甲第１号証実施発明は、甲第１号証発明に「ＡｄｏｂｅＩｌｌｕｓｔｒａｔｏｒ（登録商標）８とＷａｓａｔｃｈＳｏｆｔＲＩＰ（登録商標）ｖ４．５とＷｉｎｄｏｗｓ９８をインストールしたパソコン（Think Pad A21p)と、プリント＆カット装置（CAMMJET CJ-500）をＩＥＥＥ１２８４規格のコネクタによって接続した構成」が加わった以外は甲第１号証発明と異なるものではない。
　してみると、甲第１号証発明と甲第１号証実施発明とに実質的な差異はない。
　よって上記３、４、５で示した判断と同じ理由で、本件訂正発明１〜５についての特許は、無効理由２〜４により無効とすることはできない。
         
第８　むすび 
　以上のとおりであるから、請求人の主張する理由及び提出した証拠方法によっては本件訂正についての特許を無効にすることはできない。 
　審判に関する費用については、特許法第１６９条第２項の規定で準用する民事訴訟法第６１条の規定により、請求人が負担すべきものとする。 
　よって、結論のとおり審決する。